(57)【要約】      （修正有）【課題】受信した放送コンテンツとリモート視聴機能により取得した放送コンテンツとを切り替えて視聴する際に、通信費の増加を抑制し、放送コンテンツ間の切り替えの際における違和感を低減させるコンテンツ視聴装置及び方法を提供する。【解決手段】第１コンテンツを出力対象コンテンツに選択している期間では、インターネットを介して、外部装置から、音声情報のみを第２コンテンツとして取得する。そして、制御ユニット１９０が、第１コンテンツ及び第２コンテンツの音声データを利用して検出された、第１コンテンツに対する第２コンテンツの視聴に関する遅延の時間差ＤＬＴに基づき、第１コンテンツに対して時間差ＤＬＴの遅延を付与させる遅延調整指令ＤＡＣを生成する。そして、遅延調整部は、当該遅延調整指令ＤＡＣに従ったタイミングで、第１コンテンツを遅延させ、出力部１４５が、遅延された第１コンテンツに基づく映像及び音声を出力する。【選択図】図３
2016167674.tif 000002
【特許請求の範囲】
【請求項１】
放送局から送信された放送波を受信して処理し、第１映像情報及び第１音声情報を含む第１コンテンツ情報を生成する第１取得部と；
前記第１コンテンツ情報に対応する第２コンテンツ情報の少なくとも第２音声情報を、通信により、外部装置から取得する第２取得部と；
前記第１コンテンツ情報に対する前記第２コンテンツ情報の遅延時間を、前記第１音声情報及び前記第２音声情報に基づいて検出する検出部と；
前記第１コンテンツ情報及び前記第２コンテンツ情報のいずれか一方を出力コンテンツ情報として出力する出力部と；
前記放送波の受信品質及び前記検出部による検出結果に基づいて、前記出力部を制御する制御部と；を備え、
前記出力部は、前記第１コンテンツ情報を前記出力コンテンツ情報として出力している期間においては、前記制御部の制御によって、前記遅延時間だけ遅延させて出力し、
前記第２取得部は、前記第１コンテンツ情報が前記出力部から出力されている期間においては、前記第２コンテンツ情報の前記第２音声情報を、通信により、前記外部装置から取得する、
ことを特徴とするコンテンツ視聴装置。
【請求項２】
前記出力部は、
前記検出部に検出された遅延時間分の前記第１映像情報の所定の静止画情報を記憶する映像バッファ記憶部と；
前記検出部に検出された遅延時間分の前記第１音声情報を記憶する音声バッファ記憶部と；を備え、
前記第１コンテンツ情報が前記出力部から出力されている期間においては、
前記出力部は、前記遅延時間分を遅延させて、前記映像バッファ記憶部から前記静止画情報を読み取り、前記出力コンテンツ情報の映像情報として出力し、前記音声バッファ記憶部から前記第１音声情報を読み取り、前記出力コンテンツの音声情報として出力する、
ことを特徴とする請求項１に記載のコンテンツ視聴装置。
【請求項３】
前記制御部は、前記第１コンテンツ情報と前記第２コンテンツ情報とが同一であるかを判定し、
前記判定の結果が否定的である場合、前記出力コンテンツ情報を、前記第１コンテンツ情報から前記第２コンテンツ情報へ切り替える際に、前記第１コンテンツ情報と前記第２コンテンツ情報とが同一でない旨を報知する、
ことを特徴とする請求項１又は２に記載のコンテンツ視聴装置。
【請求項４】
放送局から送信された放送波を受信して処理し、第１映像情報及び第１音声情報を含む第１コンテンツ情報を生成する第１取得工程と；
前記第１コンテンツ情報に対応する第２コンテンツ情報の少なくとも第２音声情報を、通信により、外部装置から取得する第２取得工程と；
前記第１コンテンツ情報に対する前記第２コンテンツ情報の遅延時間を、前記第１音声情報及び前記第２音声情報に基づいて検出する検出工程と；
前記放送波の受信品質及び前記検出工程における検出結果に基づいて、前記第１コンテンツ情報及び前記第２コンテンツ情報のいずれか一方を出力コンテンツ情報として出力する出力工程と；を備え、
前記出力工程では、前記第１コンテンツ情報を前記出力コンテンツ情報として出力している期間においては、前記遅延時間だけ遅延させて出力し、
前記第２取得工程では、前記第１コンテンツ情報が前記出力工程において出力されている期間においては、前記第２コンテンツ情報の前記第２音声情報を、通信により、前記外部装置から取得する、
を備えることを特徴とするコンテンツ視聴方法。
【請求項５】
コンテンツ視聴装置が有するコンピュータに、請求項４に記載のコンテンツ視聴方法を実行させる、ことを特徴とするコンテンツ視聴プログラム。
【請求項６】
コンテンツ視聴装置が有するコンピュータにより読み取り可能に、請求項５に記載のコンテンツ視聴プログラムが記録されている、ことを特徴とする記録媒体。
【発明の詳細な説明】
【技術分野】
【０００１】
本発明は、コンテンツ視聴装置、コンテンツ視聴方法、コンテンツ視聴プログラム、及び、当該コンテンツ視聴プログラムが記録された記録媒体に関する。
【背景技術】
【０００２】
近年、地上デジタル放送において、自宅の受信機で選局中のデジタル放送コンテンツを、インターネット経由で、宅外の端末装置で視聴可能にする「リモート視聴」に関する技術が提案された。このリモート視聴機能を利用することにより、宅外の放送受信装置で、放送波を受信処理して第１放送コンテンツを視聴することができるとともに、自宅の受信機が受信した放送波の第２放送コンテンツを、宅外の放送受信装置がインターネット経由で取得し、当該第２放送コンテンツについても、視聴することが可能となる。
【０００３】
このリモート視聴機能の活用例として、宅外の放送受信装置を車両等の移動体に配置する構成が想定される。このように放送受信装置が移動体に配置される場合には、放送受信装置による放送受信の環境は、移動体の移動に伴って変化する。そして、受信環境の変化により、放送波の受信状態が第１放送コンテンツを再生できるほどには良好でないときには、同一内容の第２放送コンテンツを視聴することができれば、利用者の利便性は向上する。
【０００４】
しかしながら、第２放送コンテンツは、インターネットを経由するため、第１放送コンテンツとは同期せず、第２放送コンテンツは第１放送コンテンツに対して遅延時間差が発生することになる。かかる放送コンテンツ間の遅延時間は、放送コンテンツの切替時に、視聴者に違和感を与えるものとなる。
【０００５】
ここで、リモート視聴に関する技術ではないが、同一内容の放送間の切替時に発生する遅延時間を解消させる技術が提案されている（特許文献１参照：以下、「従来例」と呼ぶ）。この従来例の技術では、地上デジタル放送のワンセグ放送と１２セグ放送との再生出力内容を同期させるために、ワンセグ放送のコンテンツに含まれる映像データと、１２セグ放送のコンテンツに含まれる映像データとを比較して、遅延時間を検出する。そして、先行する１２セグ放送のコンテンツを一時的にバッファリングして、検出された遅延時間だけ遅らせたタイミングで読み出すようにしている。この従来例の技術を、リモート視聴に関する技術に適用することにより、上述した放送コンテンツ間の切替時に発生する遅延時間を解消させることが可能となる。
【先行技術文献】
【特許文献】
【０００６】
【特許文献１】特開２０１０−３５０９３号公報
【発明の概要】
【発明が解決しようとする課題】
【０００７】
上述した従来例の技術では、放送間の遅延時間を検出するに際して、放送間の映像データを比較する。このため、従来例の技術を、上述したリモート視聴に関する技術に適用した場合には、放送受信装置が受信している放送波の放送コンテンツを視聴用のコンテンツに選択しているときであっても、インターネット経由で、自宅の受信機が受信している放送波の映像コンテンツを取得しなければならない。この結果、インターネットの利用に伴う通信費が増加する。
【０００８】
このため、第１放送コンテンツと第２放送コンテンツとを切り替えつつ放送コンテンツを視聴する際に、通信費の増加を抑制し、放送コンテンツ間の切り替えの際における違和感を低減させることができる技術が望まれている。かかる要請に応えることが、本発明が解決すべき課題の一つとして挙げられる。
【課題を解決するための手段】
【０００９】
請求項１に記載の発明は、放送局から送信された放送波を受信して処理し、第１映像情報及び第１音声情報を含む第１コンテンツ情報を生成する第１取得部と；前記第１コンテンツ情報に対応する第２コンテンツ情報の少なくとも第２音声情報を、通信により、外部装置から取得する第２取得部と；前記第１コンテンツ情報に対する前記第２コンテンツ情報の遅延時間を、前記第１音声情報及び前記第２音声情報に基づいて検出する検出部と；前記第１コンテンツ情報及び前記第２コンテンツ情報のいずれか一方を出力コンテンツ情報として出力する出力部と；前記放送波の受信品質及び前記検出部による検出結果に基づいて、前記出力部を制御する制御部と；を備え、前記出力部は、前記第１コンテンツ情報を前記出力コンテンツ情報として出力している期間においては、前記制御部の制御によって、前記遅延時間だけ遅延させて出力し、前記第２取得部は、前記第１コンテンツ情報が前記出力部から出力されている期間においては、前記第２コンテンツ情報の前記第２音声情報を、通信により、前記外部装置から取得する、ことを特徴とするコンテンツ視聴装置である。
【００１０】
請求項４に記載の発明は、放送局から送信された放送波を受信して処理し、第１映像情報及び第１音声情報を含む第１コンテンツ情報を生成する第１取得工程と；前記第１コンテンツ情報に対応する第２コンテンツ情報の少なくとも第２音声情報を、通信により、外部装置から取得する第２取得工程と；前記第１コンテンツ情報に対する前記第２コンテンツ情報の遅延時間を、前記第１音声情報及び前記第２音声情報に基づいて検出する検出工程と；前記放送波の受信品質及び前記検出工程における検出結果に基づいて、前記第１コンテンツ情報及び前記第２コンテンツ情報のいずれか一方を出力コンテンツ情報として出力する出力工程と；を備え、前記出力工程では、前記第１コンテンツ情報を前記出力コンテンツ情報として出力している期間においては、前記遅延時間だけ遅延させて出力し、前記第２取得工程では、前記第１コンテンツ情報が前記出力工程において出力されている期間においては、前記第２コンテンツ情報の前記第２音声情報を、通信により、前記外部装置から取得する、を備えることを特徴とするコンテンツ視聴方法である。
【００１１】
請求項５に記載の発明は、コンテンツ視聴装置が有するコンピュータに、請求項４に記載のコンテンツ視聴方法を実行させる、ことを特徴とするコンテンツ視聴プログラムである。
【００１２】
請求項６に記載の発明は、コンテンツ視聴装置が有するコンピュータにより読み取り可能に、請求項５に記載のコンテンツ視聴プログラムが記録されている、ことを特徴とする記録媒体である。
【図面の簡単な説明】
【００１３】
【図１】本発明の一実施形態に係るコンテンツ視聴装置及び外部装置の位置付けを説明するための図である。
【図２】図１のコンテンツ視聴装置の構成を概略的に示すブロック図である。
【図３】図２の再生処理ユニットの構成を示すブロック図である。
【図４】図３の出力部の構成を示すブロック図である。
【図５】図１の外部装置の構成を概略的に示すブロック図である。
【図６】図２のコンテンツ視聴装置による放送コンテンツの切り替え処理を説明するためのフローチャートである。
【図７】放送コンテンツの切り替えの例を説明するための図である。
【発明を実施するための形態】
【００１４】
以下、本発明の一実施形態を、図１〜図７を参照して説明する。なお、以下の説明及び図面においては、同一又は同等の要素には同一の符号を付し、重複する説明を省略する。
【００１５】
［構成］
図１には、一実施形態に係るコンテンツ視聴装置１００及び外部装置３００の配置関係が示されている。図１に示されるように、本実施形態では、コンテンツ視聴装置１００は、移動体である車両ＣＲ内に配置されるようになっている。また、外部装置３００は、例えば、利用者の自宅である家屋内の固定的な位置に配置されている。そして、コンテンツ視聴装置１００と外部装置３００とは、インターネットを介して、通信可能となっている。
【００１６】
コンテンツ視聴装置１００は、放送局から送信される地上デジタルテレビジョン放送波を受信して処理する。また、外部装置３００は、放送局から送信される地上デジタルテレビジョン放送波を受信して処理する。そして、外部装置３００が受信処理した放送コンテンツは、リモート視聴機能により、インターネットを介して、コンテンツ視聴装置１００へ送信されるようになっている。
【００１７】
＜コンテンツ視聴装置１００の構成＞
上記のコンテンツ視聴装置１００の構成について、説明する。
【００１８】
コンテンツ視聴装置１００は、図２に示されるように、アンテナ１１０と、ＲＦ処理ユニット１２０と、無線通信ユニット１３０と、再生処理ユニット１４０とを備えている。また、コンテンツ視聴装置１００は、入力ユニット１５０と、音出力ユニット１６０と、表示ユニット１７０と、制御ユニット１９０とを備えている。
【００１９】
上記のアンテナ１１０は、放送局から送信されている地上デジタルテレビジョン放送波を受信する。アンテナ１１０による受信信号ＲＦＳは、ＲＦ処理ユニット１２０へ送られる。
【００２０】
上記のＲＦ処理ユニット１２０は、アンテナ１１０から送られた受信信号ＲＦＳを受ける。そして、ＲＦ処理ユニット１２０は、制御ユニット１９０から送られた選局指令ＣＳＬに従って、選局すべき放送局の信号を受信信号ＲＦＳから抽出する選局処理を行い、所定の中間周波数帯の成分を有する中間周波信号ＩＦＤ（以下、単に「信号ＩＦＤ」という）に変換する。こうして得られた信号ＩＦＤは、再生処理ユニット１４０へ送られる。ここで、信号ＩＦＤは、デジタル信号となっている。なお、ＲＦ処理ユニット１２０は、第１取得部の一部の機能を果たすようになっている。
【００２１】
上記の無線通信ユニット１３０は、不図示のアンテナ等を備えて構成されている。この無線通信ユニット１３０は、当該アンテナが受信した受信信号を処理して、再生処理ユニット１４０で処理可能なデジタルデータ信号に変換する。また、無線通信ユニット１３０は、制御ユニット１９０から送られた送信信号を処理して、無線信号に対応する信号に変換し、不図示のアンテナへ送る。
【００２２】
この無線通信ユニット１３０を利用し、制御ユニット１９０による制御のもとで、映像情報（第２映像情報）及び音声情報（第２音声情報）の双方を放送コンテンツＢＣＤ（第２コンテンツ情報）として取得するための第１種取得要求を外部装置３００へ送信する。これにより、無線通信ユニット１３０は、映像情報及び音声情報の双方を放送コンテンツＢＣＤとして受信することができる。こうして受信された放送コンテンツＢＣＤは、再生処理ユニット１４０へ送られる。
【００２３】
また、この無線通信ユニット１３０を利用し、制御ユニット１９０による制御のもとで、音声情報（第２音声情報）のみを放送コンテンツＢＣＤとして取得するための第２種取得要求を外部装置３００へ送信する。これにより、無線通信ユニット１３０は、音声情報のみを放送コンテンツＢＣＤとして受信することができる。こうして受信された放送コンテンツＢＣＤは、再生処理ユニット１４０へ送られる。なお、無線通信ユニット１３０は、第２取得部の機能を果たすようになっている。
【００２４】
上記の再生処理ユニット１４０は、制御ユニット１９０による制御のもとで、ＲＦ処理ユニット１２０から送られる信号ＩＦＤ及び無線通信ユニット１３０から送られる放送コンテンツＢＣＤを処理して、音出力ユニット１６０へ供給する音声データＡＤＴ及び表示ユニット１７０へ供給する映像データＩＤＴを生成する。再生処理ユニット１４０の構成の詳細については、後述する。
【００２５】
上記の入力ユニット１５０は、コンテンツ視聴装置１００の本体部に設けられたキー部、及び／又はキー部を備えるリモート入力装置等により構成される。ここで、本体部に設けられたキー部としては、表示ユニット１７０の表示デバイスに設けられたタッチパネルを用いることができる。また、キー部を有する構成に代えて、又は併用して音声認識技術を利用して音声にて入力する構成を採用することもできる。
【００２６】
この入力ユニット１５０を利用者が操作することにより、コンテンツ視聴装置１００の動作内容の設定や動作指令の入力が行われる。例えば、放送局を指定した選局指定等の利用者による入力が、入力ユニット１５０を利用して行われる。入力ユニット１５０への入力内容は、入力データＩＰＤとして、制御ユニット１９０へ送られる。
【００２７】
上記の音出力ユニット１６０は、（ｉ）再生処理ユニット１４０から送られた音声データＡＤＴをアナログ信号に変換するＤＡ（Digital to Analogue）変換器と、（ii）当該ＤＡ変換器から出力されたアナログ信号を増幅する増幅器と、（iii）増幅されたアナログ信号を音声に変換するスピーカとを備えて構成されている。この音出力ユニット１６０は、選局されているチャンネルの放送波に対応する放送音声を再生出力する。
【００２８】
上記の表示ユニット１７０は、例えば、（ｉ）液晶パネル、有機ＥＬ（Electro Luminescence）パネル、ＰＤＰ（Plasma Display Panel）等の表示デバイスと、（ii）再生処理ユニット１４０から送られた映像データＩＤＴに基づいて、当該表示デバイスに画像を表示させる表示制御回路とを備えている。この表示ユニット１７０は、選局されているチャンネルの放送波に対応する放送映像を再生表示する。
【００２９】
上記の制御ユニット１９０は、様々な処理を行うとともに、コンテンツ視聴装置１００の全体を制御する。この制御ユニット１９０により行われる処理には、利用者による希望放送局の選局指定に対応した選局処理が含まれる。また、制御ユニット１９０により行われる処理には、コンテンツ視聴装置１００が受信処理した放送コンテンツ（以下、「第１コンテンツ」とも記す）、及び、外部装置３００が受信処理した放送コンテンツ（以下、「第２コンテンツ」とも記す）のうちのいずれかを出力対象コンテンツに選択する放送コンテンツ選択処理が含まれる。
【００３０】
選局処理に際して、入力ユニット１５０から送られた選局指定を受けると、制御ユニット１９０は、選局指定により指定された希望放送局に対応する選局指令ＣＳＬを生成する。そして、制御ユニット１９０は、生成された選局指令ＣＳＬをＲＦ処理ユニット１２０へ送る。また、制御ユニット１９０は、選局処理に際して、指定された希望放送局の情報を、無線通信ユニット１３０を介して、外部装置３００へ送信する。
【００３１】
放送コンテンツ選択処理に際して、制御ユニット１９０は、再生処理ユニット１４０から送られたＣＮＲ（Carrier to Noise Ratio）の検出値ＣＮＲに基づいて、放送波の受信品質を評価する。そして、制御ユニット１９０は、放送波の受信品質が所定値以上であるか否かの判定を行うことで、第１コンテンツの再生が可能であるか否かを判断する。
【００３２】
放送波の受信品質が所定値以上の場合には、制御ユニット１９０は、第１コンテンツを出力対象コンテンツに選択する選択指令ＳＬＢを生成して、再生処理ユニット１４０へ送る。また、第１コンテンツを出力対象コンテンツに選択する場合には、制御ユニット１９０は、再生処理ユニット１４０から送られた第１コンテンツに対する第２コンテンツの視聴に関する遅延時間を示す時間差ＤＬＴに基づいて、第１コンテンツに対して時間差ＤＬＴの遅延を付与させる遅延調整指令ＤＡＣを生成する。そして、制御ユニット１９０は、生成された遅延調整指令ＤＡＣを、再生処理ユニット１４０へ送る。また、第１コンテンツを出力対象コンテンツに選択する場合には、制御ユニット１９０は、音声情報のみを放送コンテンツＢＣＤとして取得するための第２種取得要求を生成し、無線通信ユニット１３０を介して、外部装置３００へ送信する。
【００３３】
一方、放送波の受信品質が所定値未満の場合には、制御ユニット１９０は、第２コンテンツを出力対象コンテンツに選択する選択指令ＳＬＢを生成して、再生処理ユニット１４０へ送る。また、第２コンテンツを出力対象コンテンツに選択する場合には、制御ユニット１９０は、映像情報及び音声情報の双方を放送コンテンツＢＣＤとして取得するための第１種取得要求を生成し、無線通信ユニット１３０を介して、外部装置３００へ送信する。
【００３４】
すなわち、制御ユニット１９０は、制御部の機能を果たすようになっている。制御ユニット１９０が実行する制御処理の詳細については、後述する。
【００３５】
《再生処理ユニット１４０の構成》
再生処理ユニット１４０の構成について、説明する。
【００３６】
再生処理ユニット１４０は、図３に示されるように、復調部１４１と、デマルチプレクサ部１４２と、第１コンテンツ処理部１４３とを備えている。また、再生処理ユニット１４０は、第２コンテンツ処理部１４４と、出力部１４５と、検出部１４６とを備えている。ここで、復調部１４１、デマルチプレクサ部１４２及び第１コンテンツ処理部１４３は、第１取得部の一部の機能を果たすようになっている。また、第２コンテンツ処理部１４４は、第２取得部の一部の機能を果たすようになっている。
【００３７】
上記の復調部１４１は、ＲＦ処理ユニット１２０から送られた信号ＩＦＤを受ける。そして、復調部１４１は、信号ＩＦＤに対してＯＦＤＭ（Orthogonal Frequency Division Multiplex）復調を施す。こうして復調された信号は、信号ＤＭＤとして、デマルチプレクサ部１４２へ送られる。
【００３８】
また、復調部１４１は、信号ＩＦＤにおけるＣＮＲ（Carrier to Noise Ratio）を検出する。この検出結果は、検出値ＣＮＲとして、制御ユニット１９０へ送られる。
【００３９】
上記のデマルチプレクサ部１４２は、復調部１４１から送られた信号ＤＭＤを受ける。そして、デマルチプレクサ部１４２は、ＭＰＥＧ（Moving Picture Experts Group）２方式でエンコード化された信号ＤＭＤの復号処理を行い、音声に関するデコード結果を、復号音声データＤＡＤとして、第１コンテンツ処理部１４３へ送る。また、デマルチプレクサ部１４２は、映像に関するデコード結果を、復号映像データＤＩＤとして、第１コンテンツ処理部１４３へ送る。
【００４０】
上記の第１コンテンツ処理部１４３は、デマルチプレクサ部１４２から送られた復号音声データＤＡＤ及び復号映像データＤＩＤを受ける。そして、第１コンテンツ処理部１４３は、復号音声データＤＡＤに基づいて第１音声データＡＤ１（第１音声情報）を生成する。生成された第１音声データＡＤ１は、出力部１４５及び検出部１４６へ送られる。また、第１コンテンツ処理部１４３は、復号映像データＤＩＤに基づいて第１映像データＩＤ１（第１映像情報）を生成する。生成された第１映像データＩＤ１は、出力部１４５へ送られる。
【００４１】
上記の第２コンテンツ処理部１４４は、無線通信ユニット１３０から送られた放送コンテンツＢＣＤを受ける。そして、第２コンテンツ処理部１４４は、放送コンテンツＢＣＤにおける音声データを、第２音声データＡＤ２（第２音声情報）として出力部１４５及び検出部１４６へ送る。また、第２コンテンツ処理部１４４は、放送コンテンツＢＣＤにおける映像データを、第２映像データＩＤ２（第２映像情報）として出力部１４５へ送る。
【００４２】
上記の出力部１４５は、第１コンテンツ処理部１４３から送られる第１映像データＩＤ１及び第１音声データＡＤ１を受けるとともに、第２コンテンツ処理部１４４から送られる第２映像データＩＤ２及び第２音声データＡＤ２を受ける。そして、出力部１４５は、制御ユニット１９０から送られた選択指令ＳＬＢに従って、音出力ユニット１６０へ供給する音声データＡＤＴ及び表示ユニット１７０へ供給する映像データＩＤＴを生成する。出力部１４５の構成の詳細については、後述する。
【００４３】
上記の検出部１４６は、第１コンテンツに対する第２コンテンツの視聴に関する遅延時間を検出する。かかる検出に際して、検出部１４６は、第１コンテンツ処理部１４３から送られた第１音声データＡＤ１を受けるとともに、第２コンテンツ処理部１４４から送られた第２音声データＡＤ２を受ける。引き続き、検出部１４６は、第１音声データＡＤ１の音声フレームの中から基準となる基準フレームを選択する。次いで、検出部１４６は、第２音声データＡＤ２の中から、基準フレームの内容と最も近い内容を持つ音声フレームを検索する。そして、検出部１４６は、検索によって得られた組み合わせの音声フレーム間の時間差ＤＬＴを検出する。こうして検出された時間差ＤＬＴは、制御ユニット１９０へ送られる。
【００４４】
（出力部１４５の構成）
出力部１４５の構成について、説明する。
【００４５】
出力部１４５は、図４に示されるように、遅延調整部２１１と、選択部２１５とを備えている。
【００４６】
上記の遅延調整部２１１は、映像バッファ記憶部２１２、音声バッファ記憶部２１３等を備えて構成されている。この遅延調整部２１１は、制御ユニット１９０から送られた遅延調整指令ＤＡＣに従ったタイミングで、映像バッファ記憶部２１２、音声バッファ記憶部２１３に記録されているデータを、順次、読み出して、選択部２１５へ送る。
【００４７】
上記の映像バッファ記憶部２１２は、第１コンテンツ処理部１４３から送られた第１映像データＩＤ１を逐次受け、ＭＰＥＧ方式のＰピクチャ及びＢピクチャを取り除いたＩピクチャのみを記憶領域に一時的に記憶する。そして、映像バッファ記憶部２１２からは、記憶されたデータが、バッファ出力映像データＩＤＢとして、順次読み出される。こうして読み出されたバッファ出力映像データＩＤＢは、遅延調整指令ＤＡＣにより指定される供給タイミングの調整がなされたものとなっている。かかるバッファ出力映像データＩＤＢは、選択部２１５へ送られる。
【００４８】
上記の音声バッファ記憶部２１３は、第１コンテンツ処理部１４３から送られた第１音声データＡＤ１を逐次受け、当該データを記憶領域に一時的に記憶する。そして、音声バッファ記憶部２１３からは、記憶されたデータが、バッファ出力音声データＡＤＢとして、順次読み出される。こうして読み出されたバッファ出力音声データＡＤＢは、遅延調整指令ＤＡＣにより指定される供給タイミングの調整がなされたものとなっている。かかるバッファ出力音声データＡＤＢは、選択部２１５へ送られる。
【００４９】
上記の選択部２１５は、遅延調整部２１１から出力されたバッファ出力音声データＡＤＢ及びバッファ出力映像データＩＤＢ（以下、まとめて「バッファ出力データ」とも記す）を受ける。また、選択部２１５は、第２コンテンツ処理部１４４から送られた第２音声データＡＤ２及び第２映像データＩＤ２（以下、まとめて「第２出力データ」とも記す）を受ける。そして、選択部２１５は、制御ユニット１９０による選択指令ＳＬＢに従って、バッファ出力データ及び第２出力データのいずれかを選択する。こうして選択部２１５において選択された音声データが、音声データＡＤＴとして音出力ユニット１６０へ送られる。また、選択部２１５において選択された映像データが、映像データＩＤＴとして表示ユニット１７０へ送られる。
【００５０】
＜外部装置３００の構成＞
上記の外部装置３００の構成について、説明する。
【００５１】
外部装置３００は、図５に示されるように、アンテナ３１０と、ＲＦ処理ユニット３２０と、無線通信ユニット３３０と、再生処理ユニット３４０とを備えている。また、外部装置３００は、制御ユニット３９０を備えている。
【００５２】
上記のアンテナ３１０は、放送局から送信されている地上デジタルテレビジョン放送波を受信する。アンテナ３１０による受信信号ＲＦＳEは、ＲＦ処理ユニット３２０へ送られる。
【００５３】
上記のＲＦ処理ユニット３２０は、アンテナ３１０から送られた受信信号ＲＦＳEを受ける。そして、ＲＦ処理ユニット３２０は、制御ユニット３９０から送られた選局指令ＣＳＬEに従って、選局すべき放送局の信号を受信信号ＲＦＳEから抽出する選局処理を行い、所定の中間周波数帯の成分を有する信号ＩＦＤEに変換する。こうして得られた信号ＩＦＤEは、再生処理ユニット３４０へ送られる。ここで、信号ＩＦＤEは、デジタル信号となっている。
【００５４】
上記の無線通信ユニット３３０は、不図示のアンテナ等を備えて構成されている。この無線通信ユニット３３０は、当該アンテナで受信した受信信号を処理して、制御ユニット３９０で処理可能なデジタルデータ信号に変換する。また、無線通信ユニット３３０は、再生処理ユニット３４０から送られた送信信号を処理して、無線信号に対応する信号に変換し、不図示のアンテナへ送る。
【００５５】
無線通信ユニット３３０を利用して、コンテンツ視聴装置１００から送信された第１種取得要求を受信した場合には、制御ユニット３９０による制御のもとで、当該無線通信ユニット３３０を利用することにより、映像情報及び音声情報の双方を放送コンテンツＢＣＤとしてコンテンツ視聴装置１００に送信することができる。また、無線通信ユニット３３０を利用して、コンテンツ視聴装置１００から送信された第２種取得要求を受信した場合には、制御ユニット３９０による制御のもとで、当該無線通信ユニット３３０を利用することにより、音声情報のみを放送コンテンツＢＣＤとしてコンテンツ視聴装置１００に送信することができる。
【００５６】
上記の再生処理ユニット３４０は、復調部、デマルチプレクサ部、コンテンツ処理部等を備えて構成されている（いずれも不図示）。
【００５７】
復調部は、ＲＦ処理ユニット３２０から送られた信号ＩＦＤEを受ける。そして、復調部は、信号ＩＦＤEに対してＯＦＤＭ復調を施す。こうして復調された復調信号は、デマルチプレクサ部へ送られる。
【００５８】
デマルチプレクサ部は、復調部から送られた復調信号を受ける。そして、デマルチプレクサ部は、復調信号の復号処理を行い、音声に関するデコード結果及び映像に関するデコード結果を、復号信号としてコンテンツ処理部へ送る。
【００５９】
コンテンツ処理部は、デマルチプレクサ部から送られた復号信号を受ける。そして、コンテンツ処理部は、復号信号に基づいて第２音声データＡＤ２（第２音声情報）及び第２映像データＡＤ２（第２映像情報）を生成する。そして、コンテンツ処理部は、音声データ及び映像データを送信する旨の指令を制御ユニット３９０から受けたときには、映像情報及び音声情報の双方を放送コンテンツＢＣＤとして、無線通信ユニット３３０を介して、コンテンツ視聴装置１００へ送信する。
【００６０】
また、コンテンツ処理部は、音声データのみを送信する旨の指令を制御ユニット３９０から受けたときには、音声情報のみを放送コンテンツＢＣＤとして、無線通信ユニット３３０を介して、コンテンツ視聴装置１００へ送信する。
【００６１】
上記の制御ユニット３９０は、外部装置３００の全体を制御する。この制御ユニット３９０は、コンテンツ視聴装置１００から送信された希望放送局の情報を、無線通信ユニット３３０を介して受信すると、当該希望放送局に対応する選局指令ＣＳＬEを生成する。そして、制御ユニット３９０は、生成された選局指令ＣＳＬEをＲＦ処理ユニット３２０へ送る。
【００６２】
また、制御ユニット３９０は、コンテンツ視聴装置１００から送信された第１種取得要求を、無線通信ユニット３３０を介して受信すると、音声データ及び映像データの双方を放送コンテンツＢＣＤとして送信する旨の指令を、再生処理ユニット３４０へ送る。また、制御ユニット３９０は、コンテンツ視聴装置１００から送信された第２種取得要求を、無線通信ユニット３３０を介して受信すると、音声データのみを放送コンテンツＢＣＤとして送信する旨の指令を、再生処理ユニット３４０へ送る。
【００６３】
［動作］
上述のようにして構成されたコンテンツ視聴装置１００の動作について、制御ユニット１９０による放送コンテンツの選択処理に主に着目して説明する。
【００６４】
前提として、入力ユニット１５０には既に利用者により選局指定が入力されており、指定された希望放送局に対応する選局指令ＣＳＬが、制御ユニット１９０からＲＦ処理ユニット１２０へ送られているものとする。また、制御ユニット１９０は、当該希望放送局の情報を、無線通信ユニット１３０を介して、外部装置３００へ送信しているものとする。この結果、外部装置３００においても、希望放送局に対応する選局指令ＣＳＬEが、制御ユニット３９０からＲＦ処理ユニット３２０へ送られているものとする。
【００６５】
コンテンツ視聴装置１００では、こうした状態で、アンテナ１１０で放送波を受信すると、受信信号ＲＦＳが、アンテナ１１０からＲＦ処理ユニット１２０へ送られる。ＲＦ処理ユニット１２０は、選局指令ＣＳＬに従い、希望放送局の信号を受信信号ＲＦＳから抽出する選局処理を行い、所定の中間周波数帯の成分を有する信号ＩＦＤに変換する。そして、ＲＦ処理ユニット１２０は、当該信号ＩＦＤを、再生処理ユニット１４０へ送る（図２参照）。
【００６６】
再生処理ユニット１４０では、復調部１４１が、ＲＦ処理ユニット１２０から送られた信号ＩＦＤの復調処理を行って信号ＤＭＤを生成し、生成された信号ＤＭＤをデマルチプレクサ部１４２へ送る。また、復調部１４１は、信号ＩＦＤにおけるＣＮＲを検出し、検出値ＣＮＲを制御ユニット１９０へ送る。
【００６７】
次に、デマルチプレクサ部１４２が、復調部１４１から送られた信号ＤＭＤの復号処理を行い、復号音声データＤＡＤ及び復号映像データＤＩＤを第１コンテンツ処理部１４３へ送る。そして、第１コンテンツ処理部１４３は、復号音声データＤＡＤに基づいて第１音声データＡＤ１を生成して、出力部１４５及び検出部１４６へ送る。また、第１コンテンツ処理部１４３は、復号映像データＤＩＤに基づいて第１映像データＩＤ１を生成して、出力部１４５へ送る（図３参照）。
【００６８】
出力部１４５では、遅延調整部２１１の映像バッファ記憶部２１２が第１映像データＩＤ１を逐次受け、Ｉピクチャのみを記憶領域に一時的に記憶する。また、出力部１４５では、遅延調整部２１１の音声バッファ記憶部２１３が第１音声データＡＤ１を逐次受け、当該データを記憶領域に一時的に記憶する。
【００６９】
ここで、選局指定した希望放送局の放送波の受信品質が所定値以上のときには、制御ユニット１９０は、無線通信ユニット１３０を介して、第２種取得要求を外部装置３００へ送信するようになっている。この結果、第２コンテンツ処理部１４４は、無線通信ユニット１３０を介して、音声情報のみを放送コンテンツＢＣＤとして取得する。そして、第２コンテンツ処理部１４４は、放送コンテンツＢＣＤにおける音声データを、第２音声データＡＤ２として出力部１４５及び検出部１４６へ送る（図３参照）。
【００７０】
また、選局指定した希望放送局の放送波の受信品質が所定値未満のときには、制御ユニット１９０は、無線通信ユニット１３０を介して、第１種取得要求を外部装置３００へ送信するようになっている。この結果、第２コンテンツ処理部１４４は、無線通信ユニット１３０を介して、音声情報及び映像情報の双方を放送コンテンツＢＣＤとして取得する。そして、第２コンテンツ処理部１４４は、放送コンテンツＢＣＤにおける音声データを、第２音声データＡＤ２として出力部１４５及び検出部１４６へ送る。また、第２コンテンツ処理部１４４は、放送コンテンツＢＣＤにおける映像データを、第２映像データＩＤ２として出力部１４５へ送る（図３参照）。
【００７１】
また、検出部１４６は、第１音声データＡＤ１及び第２音声データＡＤ２に基づいて、第１コンテンツに対する第２コンテンツの視聴に関する遅延の時間差ＤＬＴを検出する。そして、検出部１４６は、当該時間差ＤＬＴを制御ユニット１９０へ送る（図３参照）。
【００７２】
このような状況のもとで、図６に示されるように、まず、ステップＳ１１において、制御ユニット１９０が、放送波の受信品質が所定値以上であるか否かを判定する。この判定の結果が肯定的であった場合（ステップＳ１１：Ｙ）には、処理はステップＳ１２へ進む。
【００７３】
ステップＳ１２では、制御ユニット１９０が、第１コンテンツを出力対象コンテンツに選択しているか否かを判定する。この判定の結果が肯定的であった場合（ステップＳ１２：Ｙ）には、処理はステップＳ１１へ戻る。ステップＳ１２における判定の結果が否定的であった場合（ステップＳ１２：Ｎ）には、処理はステップＳ１３へ進む。このステップＳ１３では、制御ユニット１９０が、第２種取得要求を外部装置３００へ送信する。この結果、コンテンツ視聴装置１００は、音声情報を放送コンテンツＢＣＤとして外部装置３００から取得する。
【００７４】
引き続き、ステップＳ１４において、制御ユニット１９０が、第１コンテンツを出力対象コンテンツに選択する選択指令ＳＬＢを生成する。そして、制御ユニット１９０は、生成された選択指令ＳＬＢを選択部２１５へ送る。また、制御ユニット１９０は、検出部１４６から送られた時間差ＤＬＴに基づいて、第１コンテンツに対して時間差ＤＬＴの遅延を付与させる遅延調整指令ＤＡＣを生成する。そして、制御ユニット１９０は、生成された遅延調整指令ＤＡＣを、遅延調整部２１１へ送る。
【００７５】
こうして遅延調整指令ＤＡＣが遅延調整部２１１へ送られると、映像バッファ記憶部２１２から、Ｉピクチャが、書き込み時点から時間ＤＬＴが経過した後に、バッファ出力映像データＩＤＢとして読み出される。そして、読み出されたバッファ出力映像データＩＤＢは、選択部２１５へ送られる。また、遅延調整指令ＤＡＣが遅延調整部２１１へ送られると、音声バッファ記憶部２１３から、第１音声データＡＤ１が、書き込み時点から時間ＤＬＴが経過した後に、バッファ出力音声データＡＤＢとして読み出される。そして、読み出されたバッファ出力音声データＡＤＢは、選択部２１５へ送られる。なお、バッファ出力映像データＩＤＢ及びバッファ出力音声データＡＤＢは、遅延調整部２１１により同期が図られている。
【００７６】
また、第１コンテンツを出力対象コンテンツに選択する選択指令ＳＬＢが選択部２１５へ送られると、選択部２１５は、映像バッファ記憶部２１２から読み出されたバッファ出力映像データＩＤＢを、映像データＩＤＴとして表示ユニット１７０へ送る。また、選択部２１５は、音声バッファ記憶部２１３から読み出されたバッファ出力音声データＡＤＢを、音声データＡＤＴとして音出力ユニット１６０へ送る。この後、処理はステップＳ１１へ戻る。
【００７７】
ステップＳ１１における判定の結果が否定的であった場合（ステップＳ１１：Ｎ）には、処理はステップＳ１５へ進む。このステップＳ１５では、制御ユニット１９０が、第２コンテンツを出力対象コンテンツに選択しているか否かを判定する。この判定の結果が肯定的であった場合（ステップＳ１５：Ｙ）には、処理は、ステップＳ１１へ戻る。
【００７８】
ステップＳ１５における判定の結果が否定的であった場合（ステップＳ１５：Ｎ）には、処理はステップＳ１６へ進む。このステップＳ１６では、制御ユニット１９０が、第１種取得要求を外部装置３００へ送信する。この結果、コンテンツ視聴装置１００は、映像情報及び音声情報の双方を放送コンテンツＢＣＤとして外部装置３００から取得する。
【００７９】
引き続き、ステップＳ１７において、制御ユニット１９０が、第２コンテンツを出力対象コンテンツに選択する選択指令ＳＬＢを生成する。そして、制御ユニット１９０は、生成された選択指令ＳＬＢを選択部２１５へ送る。
【００８０】
第２コンテンツを出力対象コンテンツに選択する選択指令ＳＬＢが選択部２１５へ送られると、選択部２１５は、第２コンテンツ処理部１４４から送られた第２映像データＩＤ２を、映像データＩＤＴとして表示ユニット１７０へ送る。また、選択部２１５は、第２コンテンツ処理部１４４から送られた第２音声データＡＤ２を、音声データＡＤＴとして音出力ユニット１６０へ送る。この後、処理はステップＳ１１へ戻る。以後、ステップＳ１１〜Ｓ１７の処理が繰り返される。
【００８１】
図７には、放送コンテンツの選択処理に際しての、放送波の受信品質の例、第１コンテンツ及び第２コンテンツの切り替えの例が示されている。この例での、時間Ｔ１で第１コンテンツから第２コンテンツに切り替わり、時間Ｔ２で第２コンテンツから第１コンテンツに切り替わっている。この時間Ｔ１では、第２コンテンツの音声データについては取得できているが、第２コンテンツの映像データについては取得できていない。この場合には、第２コンテンツの音声を出力するとともに、第２コンテンツの映像を取得するまでの間は、第１コンテンツの最新の映像を表示する。
【００８２】
以上説明したように、本実施形態では、第１コンテンツを出力対象コンテンツに選択している期間では、コンテンツ視聴装置１００は、インターネットを介して、外部装置３００から、音声データのみを第２コンテンツとして取得する。そして、検出部１４６は、第１コンテンツの音声データ及び第２コンテンツの音声データに基づいて、第１コンテンツに対する第２コンテンツの視聴に関する遅延の時間差ＤＬＴを検出する。引き続き、制御ユニット１９０が、第１コンテンツに対して時間差ＤＬＴの遅延を付与させる遅延調整指令ＤＡＣを生成し、遅延調整部２１１へ送る。
【００８３】
こうして遅延調整指令ＤＡＣを受けると、遅延調整部２１１は、当該遅延調整指令ＤＡＣに従ったタイミングで、第１コンテンツを遅延させる。そして、出力部１４５が、遅延された第１コンテンツに基づく映像及び音声を出力する。
【００８４】
また、第２コンテンツを出力対象コンテンツに切り替える際には、コンテンツ視聴装置１００は、インターネットを介して、外部装置３００から、映像データ及び音声データの双方を第２コンテンツとして取得する。そして、出力部１４５が、当該第２コンテンツに基づく映像及び音声を出力する。
【００８５】
このように、第１コンテンツを出力対象コンテンツに選択している期間では、映像データに比べてデータ量が少ない音声データのみを、インターネットを介して取得する。このため、インターネットの利用に伴う通信費の増加を抑制しつつ、放送コンテンツ間の切り替えの際における違和感を低減することができる。
【００８６】
また、本実施形態では、遅延調整部２１１の映像バッファ記憶部２１２が、第１映像データのＩピクチャのみを記憶領域に一時的に記憶する。そして、遅延調整指令ＤＡＣにより指定される供給タイミングで、映像バッファ記憶部２１２から、当該Ｉピクチャが読み出される。
【００８７】
このため、第１コンテンツの映像データを記憶するバッファ量を低減させることができる。また、聴取を重視する車両内でのコンテンツ視聴については、利用者に快適な環境を提供することができる。
【００８８】
したがって、本実施形態によれば、車両に配置されたコンテンツ視聴装置により受信した放送コンテンツと、リモート視聴機能により取得した放送コンテンツとを切り替えつつ放送コンテンツを視聴する際に、通信費の増加を抑制し、放送コンテンツ間の切り替えの際における違和感を低減させることができる。
【００８９】
［実施形態の変形］
本発明は、上記の実施形態に限定されるものではなく、様々な変形が可能である。
【００９０】
例えば、上記の実施形態では、第１コンテンツに基づく出力映像をＩピクチャとしたが、映像コンテンツを加工せずに、出力映像としてもよい。
【００９１】
また、上記の実施形態では、第１コンテンツの内容と第２コンテンツの内容との異同を判定しなかったが、制御ユニットが、第１コンテンツの内容と第２コンテンツの内容との異同を判定し、第１コンテンツの内容と第２コンテンツの内容とが異なる場合には、利用者にその旨を報知するようにしてもよい。
【００９２】
また、上記の実施形態では、受信した放送波に基づく信号のＣＮＲ（Carrier to Noise Ratio）を検出して、当該ＣＮＲに基づいて、放送波の受信品質を評価した。これに対して、放送コンテンツの復号処理の際に検出したビットエラー率に基づいて、放送波の受信品質を評価するようにしてもよい。
【００９３】
また、上記の実施形態では、地上デジタル放送に本発明を適用したが、例えば、衛星放送（ＢＳ）等の他の放送に本発明を適用することができる。
【００９４】
また、上記の実施形態においては、車両に配置されるコンテンツ視聴装置に本発明を適用したが、車両以外の他の移動体に配置されるコンテンツ視聴装置にも本発明を適用することもできるし、スマートフォン等の携帯端末装置に配置されるコンテンツ視聴装置にも本発明を適用することができる。
【００９５】
なお、上記のコンテンツ視聴装置の制御ユニットの一部又は全部を中央処理装置（ＣＰＵ：Central Processing Unit）等を備えた演算手段としてのコンピュータとして構成し、予め用意されたプログラムを当該コンピュータで実行することにより、上記の実施形態における制御ユニットの機能を実現するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【符号の説明】
【００９６】
１００  …  コンテンツ視聴装置
１２０  …  ＲＦ処理ユニット（第１取得部の一部）
１３０  …  無線通信ユニット（第２取得部の一部）
１４１  …  復調部（第１取得部の一部）
１４２  …  デマルチプレクサ部（第１取得部の一部）
１４３  …  第１コンテンツ処理部（第１取得部の一部）
１４４  …  第２コンテンツ処理部（第２取得部の一部）
１４５  …  出力部
１４６  …  検出部
１９０  …  制御ユニット（制御部）
２１２  …  映像バッファ記憶部
２１３  …  音声バッファ記憶部
【図１】
2016167674.tif 000003
【図２】
2016167674.tif 000004
【図３】
2016167674.tif 000005
【図４】
2016167674.tif 000006
【図５】
2016167674.tif 000007
【図６】
2016167674.tif 000008
【図７】
2016167674.tif 000009